Podtech/llm-jp-corpus-v4-ja_patent huggingface dataset:
【手続補正書】
【提出日】平成19年11月13日(2007.11.13)
【手続補正１】
【補正対象書類名】明細書
【補正対象項目名】特許請求の範囲
【補正方法】変更
【補正の内容】
【特許請求の範囲】
【請求項１】  共通の長手軸の周りに撚られ、有意な量の弾性曲げ変形を有する複数本の脆性線と、
前記線の前記弾性曲げ変形を維持する維持手段と、
を含む、撚りケーブル。
【請求項２】  前記維持手段が、前記複数本の脆性線の周りに巻き付けられた接着テープを含み、場合により、前記接着テープが感圧接着剤を含む、請求項１に記載の撚りケーブル。
【請求項３】  共通の長手軸の周りに撚られ、有意な量の弾性曲げ変形を有する複数本の脆性線を含み、
前記維持手段を含む前記撚りケーブルの外径が前記維持手段を除く前記複数本の撚り脆性線の外径の１１０％以下である、請求項１に記載の撚りケーブル。
【請求項４】  前記撚りケーブルには前記複数本の脆性線の周りに電力導体層がない、請求項３に記載の撚りケーブル。
【請求項５】  コアと前記コアの周りの導体層とを含む送電ケーブルであって、前記コアが請求項１〜４の何れかに記載の前記撚りケーブルを含み、場合により、前記送電ケーブルが架空送電ケーブルを含む、送電ケーブル。
【請求項６】  前記脆性線が各々、金属マトリックスを含むマトリックス中の複数の連続繊維の複合材を含む、請求項１〜５の何れか一項に記載の撚りケーブル。
【請求項７】  前記金属マトリックスがアルミニウムを含み、前記連続繊維が多結晶α−Ａｌ2Ｏ3を含む、請求項６に記載の撚りケーブル。
【請求項８】  前記脆性線が連続しており、少なくとも１５０ｍの長さであり、場合により、前記脆性線が１ｍｍ〜４ｍｍの直径を有する、請求項１〜７の何れか一項に記載の撚りケーブル。
【請求項９】  前記脆性線が１０〜１５０の撚り込率を有するように螺旋状に撚られている、請求項１〜８の何れか一項に記載の撚りケーブル。
【請求項１０】  少なくとも３本の撚り脆性線がある、請求項１〜９の何れか一項に記載の撚りケーブル。
【請求項１１】  中心線を更に含み、撚り脆性線が前記中心線の周りに撚られており、場合により、少なくとも２層の前記撚り脆性線がある、請求項１０に記載の撚りケーブル。
【手続補正書】
【提出日】平成20年8月12日(2008.8.12)
【手続補正１】
【補正対象書類名】明細書
【補正対象項目名】特許請求の範囲
【補正方法】変更
【補正の内容】
【特許請求の範囲】
【請求項１】
キュウリに発生するクロステロウイルスに耐性のキュウリ植物の生産方法であって、
ａ．キュウリクロステロウイルスに対する耐性を与える対立遺伝子を含有するククミス  サティバス（Cucumis sativus）植物を提供する段階であって、
該対立遺伝子は異なる染色体上にある２種類の量的遺伝子座ＱＴＬ１およびＱＴＬ２を特徴としており、
該ＱＴＬ１は以下のフランキングマーカー、
ｉ）５'から３'に向かって、配列番号１のヌクレオチド配列を有するＥｃｏＲＩプライマー、キュウリゲノム断片および配列番号２のヌクレオチド配列有するＭｓｅＩプライマーから成る約２４４ｂｐのマーカー、
ｉｉ）５'から３'に向かって、配列番号１のヌクレオチド配列を有するＥｃｏＲＩプライマー、キュウリゲノム断片および配列番号２のヌクレオチド配列を有するＭｓｅＩプライマーから成る約１８８ｂｐのマーカー、及び
ｉｉｉ）５'から３'に向かって、配列番号３のヌクレオチド配列を有するＥｃｏＲＩプライマー、キュウリゲノム断片および配列番号４のヌクレオチド配列を有するＭｓｅＩプライマーから成る約２５１ｂｐのマーカー、
または、前記フランキングマーカーの間のクロステロウイルス耐性を与えるＰＩ２５０１４７にあるようなＤＮＡ配列のいずれかの部分、
によって定義され、
該ＱＴＬ２は以下のマーカー、
ｉ）５'から３'に向かって、配列番号５のヌクレオチド配列を有するＥｃｏＲＩプライマー、キュウリゲノム断片および配列番号２のヌクレオチド配列を有するＭｓｅＩプライマーから成る約２６０ｂｐのマーカー、及び
ｉｉ）５'から３'に向かって、配列番号５のヌクレオチド配列を有するＥｃｏＲＩプライマー、キュウリゲノム断片および配列番号６のヌクレオチド配列を有するＭｓｅＩプライマーから成る約１０７ｂｐのマーカー、
または、前記フランキングマーカーの間のクロステロウイルス耐性を与えるＰＩ２５０１４７にあるようなＤＮＡ配列のいずれかの部分、
によって定義され、
ｂ．段階ａで得られたククミス  サティバス（Cucumis sativus）をククミス  サティバス（Cucumis sativus）栽培育種材料とを交配する段階、
ｃ．段階ｂの交配体から得られた種子を採取する段階、
ｄ．該種子から植物を再生する段階、
ｅ．段階ｄの植物のキュウリクロステロウイルス耐性を評価する段階、および
ｆ．段階ａで定義したマーカーを使用して、キュウリクロステロウイルスに耐性の植物を同定し選択する段階、
を含む方法。
【請求項２】
段階ａで提供された該ククミス  サティバス（Cucumis sativus）植物がＰＩ２５０１４７、キラ（Khira）在来系統である請求項１に記載の方法。
【請求項３】
前記クロステロウイルスがビートシュード−イエローウイルス（ＢＰＹＶ）またはウリイエロースタンティングディスオーダーウイルス（ＣＹＳＤＶ）である請求項１または２に記載の方法。
【請求項４】
請求項１または２に記載の方法によって生産した、キュウリに発生するクロステロウイルスに耐性のキュウリ優良系植物。
【請求項５】
請求項４に記載の交雑キュウリ植物。
【請求項６】
請求項４または５に記載の植物によって生産した果実または種子。
【請求項７】
キュウリに発生するクロステロウイルスに耐性のキュウリ植物を生じる種子の生産方法であって、
ａ．キュウリクロステロウイルスに対する耐性を与える対立遺伝子を含有するククミス  サティバス（Cucumis sativus）植物を提供する段階であって、
該対立遺伝子は異なる染色体上にある２種類の量的遺伝子座ＱＴＬ１およびＱＴＬ２を特徴としており、
該ＱＴＬ１は以下のフランキングマーカー、
ｉ）５'から３'に向かって、配列番号１のヌクレオチド配列を有するＥｃｏＲＩプライマー、キュウリゲノム断片および配列番号２のヌクレオチド配列有するＭｓｅＩプライマーから成る約２４４ｂｐのマーカー、
ｉｉ）５'から３'に向かって、配列番号１のヌクレオチド配列を有するＥｃｏＲＩプライマー、キュウリゲノム断片および配列番号２のヌクレオチド配列を有するＭｓｅＩプライマーから成る約１８８ｂｐのマーカー、及び
ｉｉｉ）５'から３'に向かって、配列番号３のヌクレオチド配列を有するＥｃｏＲＩプライマー、キュウリゲノム断片および配列番号４のヌクレオチド配列を有するＭｓｅＩプライマーから成る約２５１ｂｐのマーカー、
または、前記フランキングマーカーの間のクロステロウイルス耐性を与えるＰＩ２５０１４７にあるようなＤＮＡ配列のいずれかの部分、
によって定義され、
該ＱＴＬ２は以下のマーカー、
ｉ）５'から３'に向かって、配列番号５のヌクレオチド配列を有するＥｃｏＲＩプライマー、キュウリゲノム断片および配列番号２のヌクレオチド配列を有するＭｓｅＩプライマーから成る約２６０ｂｐのマーカー、及び
ｉｉ）５'から３'に向かって、配列番号５のヌクレオチド配列を有するＥｃｏＲＩプライマー、キュウリゲノム断片および配列番号６のヌクレオチド配列を有するＭｓｅＩプライマーから成る約１０７ｂｐのマーカー、
または、前記フランキングマーカーの間のクロステロウイルス耐性を与えるＰＩ２５０１４７にあるようなＤＮＡ配列のいずれかの部分、
によって定義され、
ｂ．段階ａで得られたククミス  サティバス（Cucumis sativus）をククミス  サティバス（Cucumis sativus）栽培育種材料とを交配する段階、
ｃ．段階ｂの交配体から得られた種子を採取する段階、
ｄ．段階ａで定義したマーカーを使用して、キュウリクロステロウイルスに耐性の植物中に得られる種子を選択し、同定する段階、
を含む方法。
【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】  第１繊維に結合した銀（１）カチオンを有し、光に対する曝露により変色する該第１繊維を含む抗菌活性を有する創傷被覆材であって、該第１繊維と銀を実質的に含まない第２繊維との混紡物を含むことを特徴とし、それにより、光に対する曝露による該混紡物の変色は、混紡物に存在するのと同じ平均量の銀カチオンを有する第１繊維のバッチの、光に対する曝露による変色と比較して小さくなる上記創傷被覆材。
【請求項２】  第１及び第２繊維の全重量に基づき０．０１〜５．０重量％の銀（１）カチオンを含むことを特徴とする、請求項１に記載の創傷被覆材。
【請求項３】  第１及び第２繊維の全重量に基づき０．０１〜４．０重量％の銀（１）カチオンを含むことを特徴とする、請求項２に記載の創傷被覆材。
【請求項４】  第１及び第２繊維の全重量に基づき０．２５〜３．０重量％の銀（１）カチオンを含むことを特徴とする、請求項３に記載の創傷被覆材。
【請求項５】  前記第１繊維が、水に実質的に不溶であることを特徴とする、請求項１〜４のいずれか１項に記載の創傷被覆材。
【請求項６】  前記第１繊維が、カルボキシメチルセルロース繊維、アルギン酸繊維、キトサン又はキトサン誘導体繊維、あるいはアクリル系繊維を含むことを特徴とする、請求項１〜５のいずれか１項に記載の創傷被覆材。
【請求項７】  前記第１繊維が、カルボキシメチルセルロース繊維であり、かつ、前記創傷被覆材が、その繊維の重量に基づき１．０〜２．０重量％の銀（１）カチオンを含むことを特徴とする、請求項６に記載の創傷被覆材。
【請求項８】  前記第１繊維が、アルギン酸繊維であり、かつ、前記創傷被覆材が、その繊維の重量に基づき０．２５〜０．７５重量％の銀（１）カチオンを含むことを特徴とする、請求項６に記載の創傷被覆材。
【請求項９】  前記第１繊維が、０．１〜０．４の置換度を有するカルボキシメチルセルロース繊維であることを特徴とする、請求項６又は７に記載の創傷被覆材。
【請求項１０】  前記第１繊維が、その繊維内に染色部位を提供するコモノマーを組み込んだアクリル系繊維であることを特徴とする、請求項６に記載の創傷被覆材。
【請求項１１】  前記コモノマーが、イタコン酸又は２−アクリルアミド・メチルプロパンスルホン酸であることを特徴とする、請求項１０に記載の創傷被覆材。
【請求項１２】  前記第１繊維と前記第２繊維が、類似していることを特徴とする、請求項１〜１１のいずれか１項に記載の創傷被覆材。
【請求項１３】  前記第１繊維対前記第２繊維の比が、その繊維の全重量の０．５〜２５重量％の範囲内にあることを特徴とする、請求項１〜１２のいずれか１項に記載の創傷被覆材。
【請求項１４】  前記第１繊維対前記第２繊維の比が、その繊維の全重量の５〜２０重量％の範囲内にあることを特徴とする、請求項１３に記載の創傷被覆材。
【請求項１５】  前記第１繊維が、繊維の重量に基づき約１０重量％の銀（１）カチオンを含むことを特徴とする、請求項１〜１４のいずれか１項に記載の創傷被覆材。
【請求項１６】  前記銀イオンが、第１繊維に好ましくは化学的に結合していることを特徴とする、請求項１〜１５のいずれか１項に記載の創傷被覆材。
【請求項１７】  前記第１繊維が、カルボキシメチルセルロース繊維であり、かつ、置換度が、０．２０〜０．３５の範囲内にあることを特徴とする、請求項９及び１２〜１６のいずれか１項に記載の創傷被覆材。
【請求項１８】  前記置換度が、約０．３であることを特徴とする、請求項１７に記載の創傷被覆材。
【請求項１９】  前記銀イオンが、イオン交換により第１繊維に導入されることを特徴とする、請求項１〜１８のいずれか１項に記載の創傷被覆材。
【請求項２０】  前記第１繊維が、カルボキシメチルセルロース繊維であり、かつ、上記カルボキシメチルセルロースが、テンセル由来であることを特徴とする、請求項１〜１９のいずれか１項に記載の創傷被覆材。
【請求項２１】  前記繊維状カルボキシメチルセルロースが、短繊維又は連続フィラメント糸の形態であることを特徴とする、請求項１〜２０のいずれか１項に記載の創傷被覆材。
【請求項２２】  前記カルボキシメチルセルロースが、ニードル・パンチ不織布で存在することを特徴とする、請求項１〜２１のいずれか１項に記載の創傷被覆材。
【手続補正書】
【提出日】平成20年9月4日(2008.9.4)
【手続補正１】
【補正対象書類名】明細書
【補正対象項目名】特許請求の範囲
【補正方法】変更
【補正の内容】
【特許請求の範囲】
【請求項１】  単位用量の粉末医薬を投与するための吸入装置であって、該装置が、
ケーシング；
少なくとも１つの単位用量の粉末医薬を収容するための前記ケーシング内に着脱可能に取り付けられたカートリッジであって、それぞれが別個の単位用量を収容するための複数のコンパートメントおよび各それぞれのコンパートメントを密閉するためのシール層を有するカートリッジ；ならびに
それぞれのコンパートメントから前記シール層を取り除くための分離機であって、取り除いたことによってその開いたコンパートメントを通る空気流の通路が画定される分離機；
を有し、前記ケーシングが、吸入用アパーチャであってそれによって使用者が空気を吸入することで前記空気流の通路を通って空気が吸引されて前記開いたコンパートメントの内容物が前記空気流内に同伴される吸入用アパーチャ、を有していることを特徴とする吸入装置。
【請求項２】  前記カートリッジが、少なくとも１つの単位用量の粉末医薬を内部に含む請求項１に記載の吸入装置。
【請求項３】  前記分離機が、前記カートリッジの構成部品である請求項１または２に記載の吸入装置。
【請求項４】  使用者への完全な単位用量を投与する上で十分な空気流が得られていることを示すインジケータ手段をさらに有する請求項１ないし３のいずれかに記載の吸入装置。
【請求項５】  前記インジケータ手段が、最小空気流に応答して移動可能な部材を有する請求項４に記載の吸入装置。
【請求項６】  前記部材が、前記最小空気流に応答して回転可能な羽根を有する請求項５に記載の吸入装置。
【請求項７】  前記羽根に所定の抵抗がかけられている請求項６に記載の吸入装置。
【請求項８】  最小空気流に応答して開き得る空気流弁をさらに有する請求項６に記載の吸入装置。
【請求項９】  前記インジケータ手段がユーザーに目視可能である請求項４ないし８のいずれかに記載の吸入装置。
【請求項１０】  前記カートリッジの本体が、前記本体の内周りで放射状に配置されたコンパートメントを有するディスク状の形体である請求項１ないし９のいずれかに記載の吸入装置。
【請求項１１】  前記カートリッジ中の連なるコンパートメントを、各コンパートメントから単位用量を放出するための投与位置に差し出すインデキシング機構をさらに有する請求項１ないし１０のいずれかに記載の吸入装置。
【請求項１２】  前記分離機が、前記カートリッジ本体と前記シール層の間に配置され且つ前記本体の実質的に半径方向に延びて前記シール層を剥離する部材、を有する請求項１ないし１１のいずれかに記載の吸入装置。
【請求項１３】  前記インデキシング機構の起動が、前記カートリッジ本体を前記分離機に対して回転させて前記シール層を前記コンパートメントから剥離し且つ前記コンパートメントを前記投与位置に移動させる請求項１１または１２に記載の吸入装置。
【請求項１４】  前記インデキシング機構が、前記吸入用アパーチャが閉じている第１の位置と、次のコンパートメントが投与位置に移動され且つ前記吸入用アパーチャが開いている第２の位置の間を移動可能な、前記ケーシング中の起動用部材を有する請求項１１ないし１３のいずれかに記載の吸入装置。
【請求項１５】  前記分離機が、前記コンパートメントが前記分離機と位置合わせされた時に、開いたコンパートメントを横断する空気流の通路を画定する流路を形成する請求項１ないし１４のいずれかに記載の吸入装置。
【請求項１６】  前記吸入用アパーチャが、前記分離機における前記空気流の通路の半径方向の外側の端部に間近に近接している請求項１５に記載の吸入装置。
【請求項１７】  前記カートリッジの前記ケーシングへの挿入またはそれからの取り出しが前記シール層を剥離しない請求項１ないし１６のいずれかに記載の吸入装置。
【請求項１８】  前記吸入用アパーチャが開いた位置にある時には、前記カートリッジの前記ケーシングへの挿入またはそれからの取り出しが行えない請求項１ないし１７のいずれかに記載の吸入装置。
【請求項１９】  内部に単位用量の粉末医薬を収容するためのカートリッジにおいて、
本体；
それぞれが別個の単位用量の粉末医薬を収容するための前記本体内の複数のコンパートメント；
前記各コンパートメントを密閉するためのシール層；ならびに
前記シール層を取り除いて各コンパートメントを開き、取り除いたことによって前記開いたコンパートメントを通る空気流の通路を画定するための分離機；
を有することを特徴とするカートリッジ。
【請求項２０】  前記カートリッジが、前記コンパートメントが前記本体の周りに角度間隔を設けた配列に配置されているディスク状本体を有する請求項１９に記載のカートリッジ。
【請求項２１】  前記分離機が、前記本体と前記シール層との間に配置されており且つ前記本体の実質的に半径方向に延びている部材を有する請求項１９または２０に記載のカートリッジ。
【請求項２２】  前記本体が前記分離機に対して段階的に回転されると、前記カートリッジの前記本体が前記分離機に対して回転可能で前記シール層を剥離させ且つ連なるコンパートメントを開く請求項１９ないし２１のいずれかに記載のカートリッジ。
【請求項２３】  前記コンパートメントが前記分離機と位置合わせされた時に、前記分離機が開いたコンパートメントを横断する空気流の通路を画定する流路を形成する請求項１９ないし２２のいずれかに記載のカートリッジ。
【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】  網膜病変の早期発見および分類のための網膜の内部構造をマッピングするための装置であり、
その装置は、照射手段と演算手段を含み、
（ａ）前記照射手段は、網膜上の連続した複数の所定箇所を照射し、かつ
前記網膜上の前記所定箇所から反射された光を受光するためであり、
（ｂ）前記演算手段は、前記光の強度を前記各所定箇所の網膜における網膜内深度ごとに示した一連の予備的グラフを作成するよう適合させられ、
前記予備的グラフの複数の成分曲線を分解し、
前記一次曲線および前記成分曲線の少なくとも１つの前方勾配、後方勾配、および面積に相当するデータの少なくとも１つを含むデータを得るために、前記成分曲線を分析し、かつ
前記網膜の変化を定量するために前記データをこれに類似する予め特定したデータと比較するためである。
【請求項２】  前記演算手段が、さらに、前記網膜の前記各所定箇所の網膜厚を求めるよう適合された請求項１に記載の装置。
【請求項３】  前記データがマトリックスに配列され、類似の形式に配列した前記予め特定したデータとの比較を可能にする請求項１または２に記載の装置。
【請求項４】  前記演算手段が、さらに、三次元マップを少なくとも１つ作成するよう適合された請求項１〜３のいずれかに記載の装置。
【請求項５】  前記演算手段が、さらに、前記網膜上の前記連続した所定箇所の網膜の神経線維層領域における細胞の相対量に対応する三次元マップを少なくとも１つ作成するよう適合された請求項１〜４のいずれかに記載の装置。
【請求項６】  前記データが、前記網膜の神経線維層に対応する成分曲線の面積に相当する請求項１〜５のいずれかに記載の装置。
【請求項７】  前記データが、網膜色素上皮に対応する成分曲線の面積に対する、神経線維層に対応する成分曲線の面積の比率に相当する請求項１〜５のいずれかに記載の装置。
【請求項８】  前記データが、前記予備的グラフの面積に対する、神経線維層に対応する成分曲線の面積の比率に相当する請求項１〜５のいずれかに記載の装置。
【請求項９】  前記データが、神経線維層に対応する成分曲線の線広がり関数と、網膜色素上皮に対応する成分曲線の線広がり関数との差に相当する請求項１〜５のいずれかに記載の装置。
【請求項１０】  前記線広がり関数の比較には、前記網膜色素上皮に対応する前記成分曲線の後方勾配を、前記神経線維層に対応する前記成分曲線の前方勾配と比較することが含まれる請求項９に記載の装置。
【請求項１１】  前記データが、網膜色素上皮に対応する成分曲線の後方勾配に相当する請求項１〜５のいずれかにに記載の装置。
【請求項１２】  前記予め特定したデータが、正常な網膜から得られる請求項１〜１１のいずれかに記載の装置。
【請求項１３】  前記予め特定したデータが、前記被検網膜のより早い時点での検査によって得られる請求項１〜１２のいずれかに記載の装置。
【請求項１４】  前記照射手段が、さらに、特定の網膜領域の検出に有用な所定の照射順序で連続的に前記網膜の前記領域を照射するように適合されている請求項１〜１３のいずれかに記載の装置。
【請求項１５】  患者の網膜に関して測定された眼のデータを処理する方法であり、
前記方法は、前記測定されたデータにおいて、網膜上の連続した複数の所定箇所を示すデータ部分を同定し、網膜上の前記各所定箇所の網膜内深度に関する光強度に対応する一連の予備的グラフを作成する工程と、
前記予備的グラフを分析する工程とを含み、
前記分析工程は、前記予備的グラフの複数の成分曲線を分解する工程と、
前記予備的グラフの複数の成分曲線を分ける工程と、
前記予備的グラフの前記１以上の成分曲線の領域と、前方勾配と、後方勾配との少なくとも１つに対応するデータを含むデータを得る工程と、
このようにして得られたデータと、予め特定したデータとを比較し、それによって網膜のマッピングを示す出力データを形成する工程を含む。
【手続補正書】
【提出日】平成20年8月14日(2008.8.14)
【手続補正１】
【補正対象書類名】明細書
【補正対象項目名】特許請求の範囲
【補正方法】変更
【補正の内容】
【特許請求の範囲】
【請求項１】
平面を有する検出器と、前記平面から離隔して設けられておりＸ線ビームを前記平面に投射して該投射により前記平面にビーム照射野を画定するＸ線管とを設けたイメージング・システムにおいて、前記検出器と前記ビーム照射野とを選択的に整列させるのに用いられる装置であって、
前記検出器平面に位置する基準軸に沿った前記検出器の位置を指示する第一の要素と、
前記ビーム照射野の幾何中心と、前記投射ビームの中心軸が前記検出器平面に交差する点との間での前記基準軸に沿ったオフセットを表わす信号を発生する計算装置と、
前記管と前記検出器との間の前記基準軸に沿った相対的な直線移動を可能にするように前記管及び前記検出器をそれぞれ支持する構造と、
前記発生された信号に応じて、前記第一の要素が前記ビーム照射野の幾何中心に対して所定の関係に配置されているとの通知を発行するインジケータ装置とを備え、
前記構造は、前記Ｘ線管が患者又は他のイメージング対象を支持するテーブルの上方に装着され、前記検出器が前記テーブルの下方に配置されることが可能なように構成されている、装置。
【請求項２】
前記検出器には、前記平面に位置しており前記基準軸に沿って延在する長さ次元を有するＸ線検出表面が設けられており、前記第一の要素は、前記長さ次元の中心に配置されている視覚的に観測可能な要素を含んでおり、
前記インジケータ装置は、前記第一の要素と前記ビーム照射野の幾何中心とが前記基準軸に沿って整列したときに視覚化可能な通知を発行する請求項１に記載の装置。
【請求項３】
前記計算装置は、前記管と前記検出器平面との間の間隔、並びに前記投射ビームの方向及び幅の特徴をそれぞれ表わす角度の関数として前記オフセットを算出するように配設されている請求項２に記載の装置。
【請求項４】
前記ビーム幅角は、前記間隔、前記ビーム方向角、及び前記基準軸に沿って延在する前記ビーム照射野の寸法から算出される請求項３に記載の装置。
【請求項５】
平面を有する検出器と、Ｘ線ビームを前記平面に投射して前記平面にビーム照射野を画定するように配設されているＸ線管とを設け、前記検出器が患者又は他のイメージング対象を支持するテーブルの下方に配置され、前記Ｘ線管が前記テーブルの上方に装着されるイメージング・システムにおいて、前記検出器と前記ビーム照射野とを選択的に整列させる方法であって、
前記ビーム照射野の幾何中心と、前記投射ビームの中心軸が前記検出器平面に交差する点との間での前記平面に位置する基準軸に沿ったオフセットを表わす信号を発生する工程と、
前記中心軸の交点の位置を決定するように視覚化可能な参照要素を用いる工程と、
視覚化可能なインジケータ装置を動作させて、前記基準軸に沿った前記検出器の中心点を識別するマークが前記ビーム照射野の幾何中心に対して所定の関係に配置されているとの指示を発行するように、当該視覚化可能なインジケータ装置に前記信号を結合する工程とを備えた方法。
【請求項６】
前記信号を発生する工程は、前記管と前記検出器平面との間の間隔、並びに前記投射ビームの方向及び幅の特徴をそれぞれ表わす角度の関数として前記オフセットを算出する工程を含んでいる請求項５に記載の方法。
【請求項７】
前記視覚化可能な参照要素は、前記Ｘ線ビーム照射野と実質的に一致した光照射野を横断して位置する視覚化可能な軸を含んでいる請求項６に記載の方法。
【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】  基端部（２０４）および末端部（２０６）を有した長尺状の可撓管体（２０２）と、前記可撓管体（２０２）は基端セクション及び脈管にアクセスするために適切な末端セクションを備えるとともに、前記可撓管体内に収容される回転可能チップを回転させるために十分な抗キンク性とを有することと、
一定の軸方向長さ（２２８）を有するように前記末端部（２０６）に設けられる末端開口（２２６）と、
前記可撓管体（２０２）を貫通して管腔（２１８）に沿って伸びる回転可能要素（２１０）と、
前記可撓管体（２０２）の末端部（２０６）の管腔（２１８）内にあり、回転可能要素（２１０）に結合されている回転可能チップ（２０８）と、前記回転チップ（２０８）は前記末端開口（２２６）を通じて末端方向に外部に向かって露出されていることと、
基端ガイドワイヤポート（２１６）及び末端ガイドワイヤポート（２１４）を備えるガイドワイヤ管腔（２１２）と、前記末端ガイドワイヤポート（２１４）は前記末端開口（２２６）に対して末端方向に離間していることとからなる、血栓を摘出するための回転式血栓摘除カテーテル。
【請求項２】  前記可撓管体（２０２）の末端セクションの外径は、５ミリメートル未満の内径を有する血管にアクセスするために十分に小さい、請求項１に記載の回転式血栓摘除カテーテル。
【請求項３】  前記可撓管体（２０２）の末端セクションの外径は、３ミリメートル未満の内径を有する血管にアクセスするために十分に小さい、請求項２に記載の回転式血栓摘除カテーテル。
【請求項４】  前記可撓管体（２０２）の末端セクションの外径は、１．３ミリメートル未満である、請求項１〜３のいずれか一項に記載の回転式血栓摘除カテーテル。
【請求項５】  前記血栓摘除カテーテルは、脳の血栓を摘出するための脳血栓摘除カテーテルである、請求項１〜４のいずれか一項に記載の回転式血栓摘除カテーテル。
【請求項６】  前記末端開口（２２６）は傾斜をもって開口している、請求項１〜５のいずれか一項に記載の回転式血栓摘除カテーテル。
【請求項７】  前記末端開口（２２６）は、０．５〜３ミリメートルの軸方向長さを有する、請求項１〜６のいずれか一項に記載の回転式血栓摘除カテーテル。
【請求項８】  前記回転チップ（２０８）は前記末端開口（２２６）から軸に沿って
外部に移動させることができる、請求項１〜７のいずれか一項に記載の回転式血栓摘除カテーテル。
【請求項９】  前記基端ガイドワイヤポート（２１６）は前記基端部（２０４）から末端方向に離間している、請求項１〜８のいずれか一項に記載の回転式血栓摘除カテーテル。
【請求項１０】  前記基端ガイドワイヤポート（２１６）は、末端ガイドワイヤポート（２１４）から０．１〜１．５５メートルの範囲の一定の間隔をもって離間している、請求項９に記載の回転式血栓摘除カテーテル。
【請求項１１】  前記末端ガイドワイヤポート（２１４）は前記血栓摘除カテーテルのトラッキング能力を強化するために末端前進部２２２上に設けられている、請求項１〜１０のいずれか一項に記載の回転式血栓摘除カテーテル。
【請求項１２】  前記末端前進部２２２は１〜６ミリメートルの範囲の一定の軸方向長さを有する、請求項１１に記載の回転式血栓摘除カテーテル。
【請求項１３】  前記基端ガイドワイヤポート（２１６）は傾斜した開口を有する、請求項１〜１２のいずれか一項に記載の回転式血栓摘除カテーテル。
【請求項１４】  前記ガイドワイヤ内腔（２１２）を備えているカテーテルは、モノレール装置である、請求項１〜１３のいずれか一項に記載の回転式血栓摘除カテーテル。
【請求項１５】  前記末端セクションは前記基端セクションよりも可撓性に富む、請求項１〜１４のいずれか一項に記載の回転式血栓摘除カテーテル。
【請求項１６】  前記可撓管体（２０２）の基端セクションは末端セクションよりも大きな外径を有する、請求項１〜１５のいずれか一項に記載の回転式血栓摘除カテーテル。
【請求項１７】  前記可撓管体（２０２）は基端セクションと末端セクションの間に設けられた少なくとも１つのテーパー状セグメントを有し、前記テーパー状セグメントは基端から末端に向かって減少する外径を有している、請求項１〜１６のいずれか一項に記載の回転式血栓摘除カテーテル。
【請求項１８】  前記内腔（２１８）は真空源に結合される吸引内腔である、請求項１〜１７のいずれか一項に記載の回転式血栓摘除カテーテル。
【請求項１９】  前記ガイドワイヤ内腔（２１２）は前記内腔（２１８）と異なる軸を有する、請求項１〜１８のいずれか一項に記載の回転式血栓摘除カテーテル。
【手続補正書】
【提出日】平成20年5月14日(2008.5.14)
【手続補正１】
【補正対象書類名】明細書
【補正対象項目名】特許請求の範囲
【補正方法】変更
【補正の内容】
【特許請求の範囲】
【請求項１】  成長ホルモンスーパー遺伝子ファミリーのメンバーであり、１個または複数の追加の遊離システイン残基を有する不溶性または凝集性タンパク質のリフォールディングされた可溶性の形を調製する方法であって、
（ａ）１個または複数の追加の遊離システイン残基を有し成長ホルモンスーパー遺伝子ファミリーのメンバーであるタンパク質を不溶性または凝集性の形で宿主細胞に発現させるステップと、
（ｂ）化学的、酵素的または物理的手段で細胞を溶解するステップと、
（ｃ）不溶性または凝集性タンパク質を変性剤、還元剤およびシステイン・ブロッキング剤に暴露することによって不溶性または凝集性タンパク質を可溶化するステップと、
（ｄ）変性剤および還元剤の濃度を、タンパク質を可溶性で生物学的に活性な形に再生させるのに十分なレベルまで低下させることにより、タンパク質をリフォールディングするステップとを含む方法。
【請求項２】  前記システイン・ブロッキング剤が、システイン、システアミン、還元型グルタチオンまたはチオグリコール酸からなる群から選択される、請求項１に記載の方法。
【請求項３】  前記ステップ（ｃ）の前記還元剤および前記システイン・ブロッキング剤が同一の化合物である、請求項１に記載の方法。
【請求項４】  前記システイン・ブロッキング剤が、システイン、システアミン、還元型グルタチオンまたはチオグリコール酸からなる群から選択される、請求項３に記載の方法。
【請求項５】  ステップ（ｃ）の前記システイン・ブロッキング剤が、還元された場合にシステイン・ブロッキング剤としての役割を果たすジチオールである、請求項１に記載の方法。
【請求項６】  成長ホルモンスーパー遺伝子ファミリーのメンバーが、成長ホルモン、プロラクチン、胎盤ラクトゲン、エリスロポエチン、トロンボポエチン、インターロイキン−２、インターロイキン−３、インターロイキン−４、インターロイキン−５、インターロイキン−６、インターロイキン−７、インターロイキン−９、インターロイキン−１０、インターロイキン−１１、インターロイキン−１２（ｐ３５サブユニット）、インターロイキン−１３、インターロイキン−１５、ＩＬ−１９、ＩＬ−２０、オンコスタチンＭ、毛様体神経栄養因子、白血病抑制因子、α−インターフェロン、β−インターフェロン、γ−インターフェロン、ω−インターフェロン、τ−インターフェロン、顆粒球コ
ロニー刺激因子、顆粒球マクロファージ・コロニー刺激因子、カルジオトロフィン−１、マクロファージ・コロニー刺激因子、幹細胞刺激因子およびｆｌｔ３リガンドからなる群から選択される、請求項１に記載の方法。
【請求項７】  システイン反応性部分を前記単離タンパク質に結合させてシステイン修飾タンパク質を生成することをさらに含む、請求項１に記載の方法。
【請求項８】  システイン反応性ポリエチレン・グリコール成分を前記単離タンパク質中のシステイン残基に結合させてｐｅｇ化タンパク質を生成することをさらに含む、請求項１に記載の方法。
【請求項９】  抗血管新生因子であり、１個または複数の追加の遊離システイン残基を有する不溶性または凝集性タンパク質のリフォールディングされた可溶性の形を調製する方法であって、
（ａ）１個または複数の追加の遊離システイン残基を有し抗血管新生因子であるタンパク質を不溶性または凝集性の形で宿主細胞に発現させるステップと、
（ｂ）化学的、酵素的または物理的手段で細胞を溶解するステップと、
（ｃ）不溶性または凝集性タンパク質を変性剤、還元剤およびシステイン・ブロッキング剤に暴露することによって不溶性または凝集性タンパク質を可溶化するステップと、
（ｄ）変性剤および還元剤の濃度を、タンパク質を可溶性で生物学的に活性な形に再生させるのに十分なレベルまで低下させることによりタンパク質をリフォールディングするステップとを含む方法。
【請求項１０】  前記抗血管新生因子はエンドスタチン、アンジオスタチン、または血管内皮成長因子（ＶＥＧＦ）受容体の細胞外領域である請求項９に記載の方法。
【手続補正書】
【提出日】平成20年9月5日(2008.9.5)
【手続補正１】
【補正対象書類名】明細書
【補正対象項目名】請求項２７
【補正方法】変更
【補正の内容】
【請求項２７】  前記コーヒー抽出液を製造し、かつ該コーヒー抽出液を圧力で前記少なくとも１つの入口に供給する手段をさらに備えることを特徴とする、請求項１〜２６のいずれか一項に記載の装置。
【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】創傷部位においてエラスターゼを分離する方法であって、前記創傷部位に、ジアルデヒドガーゼ創傷包帯材を接触させる過程を含む方法。
【請求項２】創傷部位においてエラスターゼを分離する方法であって、前記創傷部位に、スルホン酸処理ガーゼ創傷包帯材を接触させる過程を含む方法。
【請求項３】創傷部位においてエラスターゼを分離する方法であって、前記創傷部位に、リン酸エステル化ガーゼ創傷包帯材を接触させる過程を含む方法。
【請求項４】創傷部位においてエラスターゼを分離する方法であって、前記創傷部位に、ジアルデヒド綿、スルホン酸処理綿、およびリン酸エステル化綿から成る群から選んだ綿ガーゼ創傷包帯材を接触させる過程を含む方法。
【手続補正書】
【提出日】平成20年2月8日(2008.2.8)
【手続補正１】
【補正対象書類名】明細書
【補正対象項目名】特許請求の範囲
【補正方法】変更
【補正の内容】
【特許請求の範囲】
【請求項１】  血管新生疾患の動物に、プラスミノーゲンのプラスミンへの変換を起こさせるのに有効な量のプラスミノーゲンアクチベーターを投与することを含んでなる、血管新生疾患の治療方法。
【手続補正書】
【提出日】平成20年8月5日(2008.8.5)
【手続補正１】
【補正対象書類名】明細書
【補正対象項目名】特許請求の範囲
【補正方法】変更
【補正の内容】
【特許請求の範囲】
【請求項１】  粒体の外表面上に鉱油有する酵素含有粒体において、当該鉱油が潤滑剤層の形態で存在し、当該潤滑剤層は前記粒体の0.75％w/w未満である、ことを特徴とする酵素含有粒体。
【請求項２】  前記鉱油が粒体の0.1％〜0.75％w/wである、請求項１に記載の粒体。
【請求項３】  １または２以上のコーティング層をさらに含んでなる、請求項１又は２に記載の粒体。
【請求項４】  前記酵素が、リパーゼ、α−アミラーゼ、セルラーゼ、プロテアーゼ又はカルボヒドラーゼである、請求項１〜３のいずれか１項に記載の粒体。
【請求項５】  請求項１〜４のいずれか１項に記載の粒体の製造方法において、酵素含有粒体を鉱油と接触せしめ、これにより粒体の外表面に鉱油を沈着せしめることを特徴とする方法。
【請求項６】  前記鉱油を、特に高速ミキサー中で、又は流動床コーター中で、前記酵素含有顆粒に噴霧することを含む請求項５に記載の方法。
【請求項７】  界面活性剤、及び請求項１〜４のいずれか１項に記載の酵素含有顆粒を含んで成る洗剤組成物。
【手続補正書】
【提出日】平成20年9月5日(2008.9.5)
【手続補正１】
【補正対象書類名】明細書
【補正対象項目名】特許請求の範囲
【補正方法】変更
【補正の内容】
【特許請求の範囲】
【請求項１】
配列番号：125、配列番号：126、配列番号：127、及びCPRECESからなる群より選択されるペプチド配列を含む、アミノペプチダーゼAに選択的に結合する50アミノ酸以下の単離ペプチド。
【請求項２】
配列番号:125のペプチド配列を含む、請求項1記載の単離ペプチド。
【請求項３】
配列番号:126のペプチド配列を含む、請求項1記載の単離ペプチド。
【請求項４】
配列番号:127のペプチド配列を含む、請求項1記載の単離ペプチド。
【請求項５】
CPRECESのペプチド配列を含む、請求項1記載の単離ペプチド。
【請求項６】
長さが40アミノ酸以下である、請求項1〜5のいずれか一項記載の単離ペプチド。
【請求項７】
長さが30アミノ酸以下である、請求項6記載の単離ペプチド。
【請求項８】
長さが20アミノ酸以下である、請求項7記載の単離ペプチド。
【請求項９】
長さが10アミノ酸以下である、請求項8記載の単離ペプチド。
【請求項１０】
治療的物質に機能的に結合している、請求項1〜9のいずれか一項記載の単離ペプチド。
【請求項１１】
治療的物質が、薬物、化学療法剤、放射性同位体、アポトーシス促進剤、抗血管新生剤、ホルモン、サイトカイン、細胞毒性剤、細胞破壊物質、細胞増殖抑制剤、ペプチド、タンパク質、抗生物質、抗体、抗体のFab断片、ホルモンアンタゴニスト、核酸、または抗原である、請求項10記載の単離ペプチド。
【請求項１２】
抗血管新生剤が、トロンボスポンジン、アンジオスタチン5、色素上皮由来因子(pigment epithelium-drived factor)、アンジオテンシン、ラミニンペプチド、フィブロネクチンペプチド、プラスミノーゲンアクチベーター阻害剤、組織メタロプロテイナーゼ阻害剤、インターフェロン、インターロイキン12、血小板因子4、IP-10、Gro-β、トロンボスポンジン、2-メトキシエストラジオール、プロリフェリン(proliferin)関連タンパク質、カルボキシアミドトリアゾール、CM101、マリマスタット(Marimastat)、ペントサンポリスルフェート(pentosan polysulphate)、アンジオポエチン2、インターフェロンα、ハービマイシン(herbimycin)A、PNU145156E、16Kプロラクチン断片、リノマイド(Linomide)、サリドマイド、ペントキシフィリン(pentoxifylline)、ゲニステイン(genistein)、TNP-470、エンドスタチン、パクリタキセル、ドセタキセル(Docetaxel)、ポリアミン、プロテアソーム阻害剤、キナーゼ阻害剤、シグナル伝達ペプチド、アキュチン(accutin)、シドフォビル(cidofovir)、ビンクリスチン、ブレオマイシン、AGM-1470、血小板因子4、及びミノサイクリン(minocycline)からなる群より選択される、請求項11記載の単離ペプチド。
【請求項１３】
アポトーシス促進剤が、エトポシド、セラミドスフィンゴミエリン、Bax、Bid、Bik、Bad、カスパーゼ3、カスパーゼ8、カスパーゼ9、fas、fasリガンド、fadd、fap-1、tradd、faf、rip、リーパー(reaper)、アポプチン(apoptin)、インターロイキン2変換酵素、またはアネキシンVからなる群より選択される、請求項11記載の単離ペプチド。
【請求項１４】
サイトカインが、インターロイキン1(IL-1)、IL-2、IL-5、IL-10、IL-11、IL-12、IL-18、インターフェロン-γ(IF-γ)、IF-α、IF-β、腫瘍壊死因子-α(TNF-α)、またはGM-CSF(顆粒球マクロファージコロニー刺激因子)からなる群より選択される、請求項11記載の単離ペプチド。
【請求項１５】
分子複合体に付着している、請求項1〜9のいずれか一項記載の単離ペプチド。
【請求項１６】
複合体が、ウイルス、バクテリオファージ、細菌、リポソーム、微粒子、磁性ビーズ、酵母細胞、哺乳動物細胞、または細胞である、請求項15記載の単離ペプチド。
【請求項１７】
複合体がウイルスまたはバクテリオファージである、請求項16記載の単離ペプチド。
【請求項１８】
ウイルスが、アデノウイルス、レトロウイルス、およびアデノ随伴ウイルスからなる群より選択される、請求項17記載の単離ペプチド。
【請求項１９】
ウイルスが、遺伝子治療ベクターを含むものとしてさらに定義される、請求項18記載の単離ペプチド。
【請求項２０】
真核生物発現ベクターに付着している、請求項16記載の単離ペプチド。
【請求項２１】
診断薬に付着している、請求項1記載の単離ペプチド。
【請求項２２】
診断薬が造影剤である、請求項21記載の単離ペプチド。
【請求項２３】
造影剤が、クロム(III)、マンガン(II)、鉄(III)、鉄(II)、コバルト(II)、ニッケル(II)、銅(II)、ネオジム(III)、サマリウム(III)、イッテルビウム(III)、ガドリニウム(III)、バナジウム(II)、テルビウム(III)、ジスプロシウム(III)、ホルミウム(III)、エルビウム(III)、ランタン(III)、金(III)、鉛(II)、またはビスマス(III)を含む、請求項22記載の単離ペプチド。
【請求項２４】
複合体が放射性同位元素を含み、該放射性同位元素が、アスタチン211、14炭素、51クロム、36塩素、57コバルト、58コバルト、銅67、152ユーロピウム、ガリウム67、3水素、ヨウ素123、ヨウ素125、ヨウ素131、インジウム111、59鉄、32リン、レニウム186、レニウム188、75セレン、35硫黄、テクニシウム99(technicium99m)、またはイットリウム90である、請求項23記載の単離ペプチド。
【請求項２５】
疾患の処置のための、請求項1〜20のいずれか一項記載の単離ペプチド。
【請求項２６】
疾患の診断のための、請求項1または21から24のいずれか一項記載の単離ペプチド。
【請求項２７】
疾患が、異常な血管新生に関連する疾患である、請求項25または26記載の単離ペプチド。
【請求項２８】
疾患が癌である、請求項25または26記載のペプチド。
【請求項２９】
疾患が網膜新生血管形成である、請求項27記載の単離ペプチド。
【手続補正書】
【提出日】平成20年8月29日(2008.8.29)
【手続補正１】
【補正対象書類名】明細書
【補正対象項目名】特許請求の範囲
【補正方法】変更
【補正の内容】
【特許請求の範囲】
【請求項１】  ヒト顆粒球コロニー刺激因子（Ｇ−ＣＳＦ）アナログポリペプチドであって、以下：
ａ）１０９番目の位置のアスパラギン酸をヒスチジンに置換した、［Ｈｉｓ１０９］Ｇ−ＣＳＦ；
ｂ）１１２番目の位置のアスパラギン酸をヒスチジンに置換した、［Ｈｉｓ１１２］Ｇ−ＣＳＦ；
ｃ）１１９番目の位置のグルタミンをヒスチジンに置換した、［Ｈｉｓ１１９］Ｇ−ＣＳＦ；および
ｄ）必要に応じてＮ末端メチオニル残基を含む、該アナログ（ａ〜ｃ）のいずれか、
からなる群より選択される配列番号２の配列におけるアミノ酸置換を含む、Ｇ−ＣＳＦアナログポリペプチド。
【請求項２】  １以上の水溶性ポリマーで誘導体化されている、請求項１に記載のＧ−ＣＳＦアナログポリペプチド。
【請求項３】  請求項１または２に記載のＧ−ＣＳＦアナログポリペプチド、および薬学的に受容可能なキャリアを含む、薬学的組成物。
【請求項４】  ヒトＧ−ＣＳＦアナログポリペプチドをコードするポリヌクレオチドであって、該ポリペプチドが、以下：
ａ）１０９番目の位置のアスパラギン酸をヒスチジンに置換した、［Ｈｉｓ１０９］Ｇ−ＣＳＦ；
ｂ）１１２番目の位置のアスパラギン酸をヒスチジンに置換した、［Ｈｉｓ１１２］Ｇ−ＣＳＦ；
ｃ）１１９番目の位置のグルタミンをヒスチジンに置換した、［Ｈｉｓ１１９］Ｇ−ＣＳＦ；および
ｄ）必要に応じてＮ末端メチオニル残基を含む、該アナログ（ａ〜ｃ）のいずれか、
からなる群より選択される配列番号２の配列におけるアミノ酸置換を含む、ポリヌクレオチド。
【請求項５】  請求項４に記載のポリヌクレオチドであって、該分子が、以下：
ａ）配列番号３、５または７に記載のＤＮＡ配列（および相補鎖）；ならびに
ｂ）Ｎ末端メチオニル残基をさらにコードする、（ａ）のＤＮＡ配列のいずれか、
からなる群より選択される、ポリヌクレオチド。
【請求項６】  請求項４に記載のポリヌクレオチドを含む、発現構築物。
【請求項７】  請求項４に記載のポリヌクレオチドを含む、宿主細胞。
【請求項８】  細菌、哺乳動物細胞、癌細胞、酵母細胞および昆虫細胞からなる群より選択される、請求項７に記載の宿主細胞。
【請求項９】  Ｇ−ＣＳＦアナログポリペプチドである［Ｈｉｓ１０９］Ｇ−ＣＳＦ、［Ｈｉｓ１１２］Ｇ−ＣＳＦ、［Ｈｉｓ１１９］Ｇ−ＣＳＦまたはこれらのＭｅｔ−１種を、このようなアナログをコードする核酸を含む宿主細胞より生成するためのプロセスであって、ここで、該プロセスは、以下：
ａ）請求項４に記載のポリペプチドを含む該宿主細胞を、このようなポリペプチドの発現を容易にする条件下で培養する工程；および
ｂ）このようなＧ−ＣＳＦアナログポリペプチドを得る工程、
を包含する、プロセス。
【請求項１０】  造血、神経または生殖に関連する状態を処置するための薬学的組成物を調製するための、請求項１または２に記載のポリペプチドの使用。
【請求項１１】  請求項１０に記載のポリペプチドの使用であって、前記状態が、造血機能の低下、免疫機能の低下、好中球数の低下、好中球動員の低下、末梢血先祖細胞の動員、敗血症、重篤な慢性好中球減少症、骨髄移植、感染症、白血球減少症、血小板減少症、貧血、移植中の骨髄移植の増強、放射線処置における骨髄再生の増強、化学薬品または化学療法によって誘導される骨髄発育不全または骨髄抑制、および後天性免疫不全症候群からなる群より選択される、処置方法。
【請求項１２】 化学療法および放射線療法に細胞を感作させるための薬学的組成物の調製のための、請求項１または２に記載のポリペプチドの使用。
【請求項１３】  請求項１０〜１２のいずれかに記載のポリペプチドの使用であって、前記薬学的組成物は、ＥＰＯ、Ｇ−ＣＳＦ、ＳＣＦ、Ｍ−ＧＤＦ、ＧＭ−ＣＳＦ、Ｍ−ＣＳＦ、ＣＳＦ−１、ＩＬ−１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、インターロイキン、ＩＧＦ−１、ＬＩＦ、インターフェロン、神経栄養因子、ｆｌｔ−３／ｆｌｋ−２リガンドおよび繊維芽細胞増殖因子の中から選択される少なくとも１つのさらなる因子の使用を含む、使用。
【請求項１４】  インビトロで造血細胞を培養する方法であって、以下の工程：
ａ）請求項１に記載のＧ−ＣＳＦアナログポリペプチドを含む適切な培養培地中に該細胞を置く工程；および
ｂ）該造血細胞の増殖に適切な条件を提供する工程、
を包含する、方法。
【請求項１５】  請求項１４に記載の方法であって、前記培養は、ＥＰＯ、Ｇ−ＣＳＦ、ＳＣＦ、Ｍ−ＧＤＦ、ＧＭ−ＣＳＦ、Ｍ−ＣＳＦ、ＣＳＦ−１、ＩＬ−１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、インターロイキン、ＩＧＦ−１、ＬＩＦ、インターフェロン、神経栄養因子、ｆｌｔ−３／ｆｌｋ−２リガンドおよび繊維芽細胞増殖因子の中から選択される少なくとも１つのさらなる因子の使用を含む、方法。
【請求項１６】  以下：
ａ）請求項１に記載のアナログポリペプチドのいずれか；
ｂ）造血細胞を培養するための培地を調製するために適切な成分；ならびに
ｃ）必要に応じて、ＥＰＯ、Ｇ−ＣＳＦ、ＳＣＦ、Ｍ−ＧＤＦ、ＧＭ−ＣＳＦ、Ｍ−ＣＳＦ、ＣＳＦ−１、ＩＬ−１、ＩＬ−２、ＩＬ−３、ＩＬ−４、ＩＬ−５、ＩＬ−６、ＩＬ−７、ＩＬ−８、ＩＬ−９、ＩＬ−１０、ＩＬ−１１、ＩＬ−１２、インターロイキン、ＩＧＦ−１、ＬＩＦ、インターフェロン、神経栄養因子、ｆｌｔ−３／ｆｌｋ−２リガンドおよび繊維芽細胞増殖因子の中から選択される少なくとも１つのさらなる因子、
を含む造血細胞を培養するための成分を備える、キット。
【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】  所望のポリペプチドをコードする核酸を発現することができるポリペプチド合成機構の成分を含む生物学的抽出物を含む反応混合物中における、少なくとも1つのジスルフィド結合を含むポリペプチドのインビトロ合成のための方法であって、
改善点が以下の段階を含む、方法：
該生物学的抽出物が遊離スルフヒドリル基をアルキル化するかまたはアセチル化したスルフヒドリル不活化剤で前処理されている、反応混合物中で該ポリペプチドを合成する段階；
該ポリペプチドを該反応混合物から単離し、適切に折りたたまれた該ポリペプチドの量が該スルフヒドリル不活化剤非存在下で合成されたポリペプチドと比較して増加される段階。
【請求項２】  前記スルフヒドリル不活化剤が、ヨードアセトアミド、N-エチルマレイミド、ヨードアセテート、およびN-ヨードアセチル-N'-(5-スルホニック-1-ナフチル)エチレンジアミンからなる群より選択される、請求項1記載の方法。
【請求項３】  前記スルフヒドリル不活化剤がヨードアセトアミドである、請求項2記載の方法。
【請求項４】  所望のポリペプチドをコードする核酸を発現することができるポリペプチド合成機構の成分を含む生物学的抽出物を含む反応混合物中における、少なくとも1つのジスルフィド結合を含むポリペプチドのインビトロ合成のための方法であって、
改善点が以下の段階を含む、方法：
該生物学的抽出物が遊離スルフヒドリル基をアルキル化するかまたはアセチル化したスルフヒドリル不活化剤で前処理されている、反応混合物中で該ポリペプチドを合成し、該反応混合物が酸化還元緩衝液をさらに含む段階；
該ポリペプチドを該反応混合物から単離し、適切に折りたたまれた該ポリペプチドの量が該スルフヒドリル不活化剤非存在下で合成されたポリペプチドと比較して増加される段階。
【請求項５】  前記酸化還元緩衝液が、グルタチオン、ジチオスレイトール、ジチオエリスリトール、β-メルカプトエタノール、チオグリコレート、およびシステインからなる群より選択される、請求項4記載の方法。
【請求項６】  前記酸化還元緩衝液が、酸化型および還元型の混合物中にグルタチオンを少なくとも1mMおよび25mM以下の濃度で含む、請求項5記載の方法。
【請求項７】  前記混合物の酸化型:還元型の比が4:1である、請求項6記載の方法。
【請求項８】  前記生物学的抽出物が、少なくとも1つのチオレドキシン還元酵素およびグルタチオン還元酵素を不活化するように遺伝的に改変されている細菌細胞に由来する細菌細胞抽出物である、請求項1記載の方法。
【請求項９】  所望のポリペプチドをコードする核酸を発現することができるポリペプチド合成機構の成分を含む生物学的抽出物を含む反応混合物中における、少なくとも1つのジスルフィド結合を含むポリペプチドのインビトロ合成のための方法であって、
改善点が以下の段階を含む、方法：
酸化還元緩衝液を含む反応混合液中で該ポリペプチドを合成し、該生物学的抽出物が遊離スルフヒドリル基をアルキル化するかまたはアセチル化したスルフヒドリル不活化剤で前処理され、該反応混合物がフォルダーゼ酵素を含む段階；
該ポリペプチドを該反応混合物から単離し、適切に折りたたまれた該ポリペプチドの量が該スルフヒドリル不活化剤非存在下で合成されたポリペプチドと比較して増加される段階。
【請求項１０】  前記フォルダーゼ酵素が、DsbA、DsbB、DsbC、DsbD、PDI（タンパク質ジスルフィドイソメラーゼ）、GroEL/ES、DnaK、DnaJ、GrpE、BIP（免疫グロブリン重鎖結合タンパク質）、およびPPI（ペプチジルプロリルイソメラーゼ）およびシクロフィリンからなる群より選択される、請求項9記載の方法。
【請求項１１】  前記フォルダーゼがDsbCである、請求項10記載の方法。
【請求項１２】  前記フォルダーゼがPDIである、請求項10記載の方法。